(57)【要約】      （修正有）【課題】従来の天井クレーン型集塵方式のように全体が大がかりな装置となることなく、且つ、昇降、傾動する取鍋に対する煤煙、粉塵等の集塵を効率よく行うことのできる取鍋を用いた溶湯搬送装置を提供すること。【解決手段】取鍋用台車１に集塵機用台車２を連結自在に設け、集塵機用台車２にバグフィルター型集塵機３を搭載し、取鍋１０に、蓋状集塵フードを開閉自在に設け、前記蓋状集塵フードの開閉動作を許容しながら前記バグフィルター型集塵機３の集塵機側ダクト７に連結する第１回動連結機構８を設け、前記集塵機側ダクト７に、前記取鍋１０の傾動軸心Ｐ３の周りに回動する第２回動連結機構９を設け、且つ、前記取鍋１０の昇降に前記集塵機側ダクト７が追従できるように、該集塵機側ダクト７に追従手段５を設けてある。【選択図】      図１
2007098466.tif 000002
【特許請求の範囲】
【請求項１】
電気炉等から注湯を受ける取鍋１０を、取鍋用台車１に昇降及び傾動自在に搭載し、工場敷設の軌道上を自走可能に構成してある取鍋を用いた溶湯搬送装置であって、
前記取鍋用台車１に集塵機用台車２を連結自在に設け、
前記集塵機用台車２にバグフィルター型集塵機３を搭載し、
前記取鍋１０に、蓋状集塵フード４を横軸芯Ｐ１周りで開閉自在に設け、
該蓋状集塵フード４を開閉する駆動手段６を設け、
前記蓋状集塵フード４を、前記蓋状集塵フード４の開閉動作を許容しながら前記バグフィルター型集塵機３の集塵機側ダクト７に連結する第１回動連結機構８を設け、
前記集塵機側ダクト７に、前記取鍋１０の傾動軸心Ｐ３の周りに回動する第２回動連結機構９を設け、且つ、
前記取鍋１０の昇降に前記集塵機側ダクト７が追従できるように、該集塵機側ダクト７に追従手段５を設けてある、
ことを特徴とする取鍋を用いた溶湯搬送装置。
【請求項２】
前記第１回動連結機構８が、前記蓋状集塵フード４のフード側ダクト４Ａが円筒状に構成されると共に該フード側ダクト４Ａがそのダクト軸心Ｐ２周りに回動自在に設けられ、且つ、前記取鍋側ダクト４Ｂも、前記フード側ダクト４Ａと同様に円筒状に構成され、両ダクト４Ａ，４Ｂを同心状で回動自在となるように連結するよう構成されていることを特徴とする請求項１の取鍋を用いた溶湯搬送装置。
【請求項３】
前記追従手段５が、前記バグフィルター型集塵機３の集塵ダクト７の一部７Ａに介在された蛇腹構造のダクト５Ａから構成され、前記取鍋１０の昇降に追従して伸縮できるように構成されていることを特徴とする請求項１又は請求項２の取鍋を用いた溶湯搬送装置。
【請求項４】
前記第２回動連結機構９が、前記取鍋側ダクト４Ｂを、前記集塵機側ダクト７に対して、前記取鍋１０の傾動軸心Ｐ３と同軸心上の前記取鍋側ダクト４Ｂの軸心Ｐ４周りに回動自在となるように連結するよう構成されていることを特徴とする請求項１乃至請求項３の取鍋を用いた溶湯搬送装置。
【発明の詳細な説明】
【技術分野】
【０００１】  本発明は、電気炉等を備えた鋳造工場等における溶湯搬送装置（一般に取鍋）から発生するヒューム、煤煙、粉塵を集塵するところの取鍋を用いた溶湯搬送装置に関する。
【背景技術】
【０００２】  煤煙、粉塵の発生が多い鋳造工場における作業環境の改善を図る種々の提案がなされているが、その中で、電気炉周りの集塵は、リングフード等の手段を用いて改善され、電気炉から取鍋に出湯される際の集塵、或いは取鍋から注湯機、保持炉、或いは取鍋から鋳型への注湯の集塵については、前記リングフードと併せて、出湯場所の取鍋に臨ませて別途集塵機と集塵フードを設ける等して解消している。【０００３】  しかし、取鍋は、給湯を受けた後に、注湯機へ、或いは鋳込み現場にまで搬送されねばならず、この際、取鍋から発生する煤煙、粉塵が工場内に拡散されることになり、その対策が望まれていた。こうした問題解決の一手段として、取鍋を搬送する天井クレーンに集塵機を搭載し、吊り下げた取鍋に集塵ダクトを伸ばして集塵を行うという手段が採られている。
かかる技術については、次の文献が挙げられる。
【特許文献１】  特開２０００−３３５８７８。天井クレーンに集塵機を搭載し、吊り下げた取鍋の集塵を行う。
【発明の開示】
【発明が解決しようとする課題】
【０００４】  上述した天井クレーン型の集塵機は、相当に重量のある集塵機をクレーンに搭載することで、装置全体が大がかりとなって搬送にかかわる多大の稼動エネルギーを要する共に取鍋を吊り下げた不安定な状態で相当高さを昇降させながら集塵を行うので、これに伴う上方の集塵機から下方の取鍋に伸びるダクトの構造が難しくなるという問題もあった。【０００５】  特に、注湯機、鋳型等への出湯に際して取鍋を傾動させた際にも十分な集塵作用を得るようにすることは吊り下げダクトの構造上非常に難しいものがあり、安定性に欠けるものであった。
また、天井近くを走行するクレーンに搭載した集塵機のメンテナンスについても、高く、狭い場所での作業が行い難いという不便さもある。【０００６】  本発明は、従来の天井クレーン型集塵方式のように全体が大がかりな装置となることなく、且つ、昇降、傾動する取鍋に対する煤煙、粉塵等の集塵を効率よく行うことのできる取鍋を用いた溶湯搬送装置を提供することを目的とする。
【課題を解決するための手段】
【０００７】  本発明にかかる溶湯搬送装置は、上記目的を達成するために、電気炉等から注湯を受ける取鍋１０を、取鍋用台車１に昇降及び傾動自在に搭載し、工場敷設の軌道上を自走可能に構成してある取鍋を用いた溶湯搬送装置であって、
前記取鍋用台車１に集塵機用台車２を連結自在に設け、
前記集塵機用台車２にバグフィルター型集塵機３を搭載し、
前記取鍋１０に、蓋状集塵フード４を横軸芯Ｐ１周りで開閉自在に設け、
該蓋状集塵フード４を開閉する駆動手段６を設け、
前記蓋状集塵フード４を、前記蓋状集塵フード４の開閉動作を許容しながら前記バグフィルター型集塵機３の集塵機側ダクト７に連結する第１回動連結機構８を設け、
前記集塵機側ダクト７に、前記取鍋１０の傾動軸心Ｐ３の周りに回動する第２回動連結機構９を設け、且つ、
前記取鍋１０の昇降に前記集塵機側ダクト７が追従できるように、該集麈機側ダクト７に追従手段５を設けてある、
という手段を講じたものである。【０００８】  本発明にいう取鍋１０とは、電気炉等から注湯され、前記取鍋用台車１に集塵機用台車２を連結自在に設け、注湯機、保持炉、鋳込み現場に搬送するところの取鍋の全てのタイプのものを含む。
【発明の効果】
【０００９】  本発明によれば、従来の天井クレーン型集塵のように全体が大がかりな装置となることなく、且つ、電気炉等から注湯された後の搬送時は勿論のこと、注湯機、保持炉、鋳型等への注湯に伴う取鍋の昇降、傾動に際しても煤煙、粉塵等の集塵を効率よく行うことが出来る利点がある。
本発明のその他の利点は、以下の具体説明から明らかになろう。
【発明を実施するための最良の形態】
【００１０】  本発明において、前記第１回動連結機構８が、前記蓋状集塵フード４のフード側ダクト４Ａが円筒状に構成されると共に該フード側ダクト４Ａがそのダクト軸心Ｐ２周りに回動自在に設けられ、且つ、前記取鍋側ダクト４Ｂも、前記フード側ダクト４Ａと同様に円筒状に構成され、両ダクト４Ａ，４Ｂを同心状で回動自在となるように連結するよう構成されているのが好ましい。
このように構造簡単なダクト同士の同心軸上の連結によって、蓋状集塵フード４のフード側ダクト４Ａと取鍋側ダクト４Ｂとを回動自在に連結しながら集塵排気を集塵機に導くことができる。【００１１】  更に、前記追従手段５が、前記バグフィルター型集塵機３の集塵ダクト７の一部７Ａに介在された蛇腹構造のダクト５Ａから構成され、前記取鍋１０の昇降に追従して伸縮できるように構成されていることが好ましい。
このように、集塵ダクト７の一部７Ａに蛇腹構造のダクト５Ａを介在させることで、簡単な構造でありながら取鍋１０の昇降に際して、集塵ダクト７を伸縮できることになり、昇降に際しても集塵排気を容易に集塵機に導くことができる。【００１２】  また、前記第２回動連結機構９が、前記取鍋側ダクト４Ｂを、前記集塵機側ダクト７に対して、前記取鍋１０の傾動軸心Ｐ３と同軸心上の前記取鍋側ダクト４Ｂの軸心Ｐ４周りに回動自在となるように連結するよう構成されているのが好ましい。
同様に、このように構造簡単なダクト同士の同心軸上の連結によって、取鍋側ダクト４Ｂと前記集塵機側ダクト７とを回動自在に連結しながら集塵排気できるので、注湯に際しての取鍋１０の傾動中も集塵排気を継続することができる。
【実施例】
【００１３】  以下、図１乃至図７に基づいて、本発明の取鍋を用いた溶湯搬送装置の好適実施例について詳述する。しかし乍ら、本発明は、その本旨を外れない限り、この実施例に限定されるものではない。
図１は、電気炉２０の前に停車した溶湯搬送装置の正面図であって、図２は、その背面図、図３は、その平面図、図４は、その側面図である。【００１４】  この溶湯搬送装置は、電気炉２０から注湯を受ける取鍋１０を、取鍋用台車１に昇降及び傾動自在に搭載し、工場敷設の軌道２１上を自走可能に構成してある。この自走手段としては、取鍋用台車１に駆動モーター２２が設けられ、車輪を駆動するように構成され、一般電動車両と実質的に同様の手段である。電源は図２に示すケーブルリール２４を用いて、ケーブルで供給される。
また、取鍋１０の傾動には、取鍋１０の傾動軸心Ｐ３の支軸に連動連結された電動モーター２５が用いられる。【００１５】  前記取鍋用台車１には、集塵機用台車２が連結器２３を用いて直列に連結されている。そして、前記集塵機用台車２には、バグフィルター型集塵機３を搭載してある。このバグフィルター型集塵機３は、それ自体公知の構成のものであり、ここでの詳細説明は省くが、内部には、バグ構成の他に、プレダスターとして、吸引した高温塵埃を減圧沈降させ或いはジグザグ流路によって偏向させて沈降、温度降下させる構成が内蔵されている。【００１６】  このバグフィルター型集塵機３には、取鍋用台車１の取鍋１０側に向けて集塵機側ダクト７が延設されている。
そして、前記取鍋１０には、蓋状集塵フード４が横軸芯Ｐ１周りで、ヒンジ構造により、開閉自在に設けられている。また、蓋状集塵フード４を開閉する駆動手段６として、パワーシリンダーが設けられている。【００１７】  更に、前記蓋状集塵フード４を、前記蓋状集塵フード４の開閉動作を許容しながら前記バグフィルター型集塵機３の集塵機側ダクト７に連結する第１回動連結機構８が設けられている。
その具体的な構成は、前記蓋状集塵フード４のフード側ダクト４Ａが円筒状に構成されると共に該フード側ダクト４Ａがそのダクト軸心Ｐ２周りに回動自在に設けられ、且つ、前記取鍋側ダクト４Ｂも、前記フード側ダクト４Ａと同様に円筒状に構成され、両ダクト４Ａ，４Ｂを同心状で回動自在となるように連結するようにされている。【００１８】  また、前記集塵機側ダクト７には、前記取鍋１０の傾動軸心Ｐ３の周りに回動する第２回動連結機構９を設けてある。この取鍋１０の傾動軸心Ｐ３は、注湯に際して取鍋１０を傾斜させるための軸芯であり、取鍋１０の上下方向略中間に位置する横軸である。
この第２回動連結機構９の具体構成は、前記取鍋側ダクト４Ｂを、前記集塵機側ダクト７に対して、前記取鍋１０の傾動軸心Ｐ３と同軸心上の前記取鍋側ダクト４Ｂの軸心Ｐ４周りに回動自在となるように連結するものである。【００１９】  更に、前記取鍋１０の昇降に前記集塵機側ダクト７が追従できるように、該集塵機側ダクト７に追従手段５を設けてある。この取鍋１０の昇降とは、電気炉２０から給湯される際に、給湯を受けやすいように、電気炉２０の傾動に合わせてその位置を上下に変位させるためのものである。
そして、前記追従手段５の具体的な構造として、ここでは、前記バグフィルター型集塵機３の集塵ダクト７の一部７Ａに介在された蛇腹構造のダクト５Ａから構成され、以って、前記取鍋１０の昇降に追従して伸縮できるように構成されている。この蛇腹構造に代えて、テレスコープ（伸縮望遠鏡）の構造を採用してもよい。【００２０】  図１において、上述した追従手段５の昇降に際して伸長する構成が仮想線で描かれている。図４においては、取鍋１０の蓋状集塵フード４が開けられた状態で、注湯状態を示す。図５は、電気炉２０の位置で、注湯前の状態により、蓋状集塵フード４が閉じられた状態であり、図６は、蓋状集塵フード４が、そのダクト軸心Ｐ２周りに回動されて開けられ、電気炉２０から取鍋１０に給湯がされている状態が示されている。図７は、蓋状集塵フード４が閉じられた状態（集塵中）のまま、取鍋１０を傾動させて注湯機２６（こうした注湯機に代わり、保持炉である場合、また、鋳型である場合もある）に対して注湯している状態を示す。
【産業上の利用可能性】
【００２１】  本発明にかかる取鍋を用いた溶湯搬送装置は、注湯を受ける取鍋を用いる搬送装置として、種々の鋳造工場において実施できるものであり、その適用範囲は広いものである。
【図面の簡単な説明】
【００２２】
【図１】本発明にかかる溶湯搬送装置の全体の正面図。
【図２】本発明にかかる溶湯搬送装置の全体の背面図。
【図３】本発明にかかる溶湯搬送装置の全体の平面図。
【図４】本発明にかかる溶湯搬送装置の全体の側面図。
【図５】本発明にかかる溶湯搬送装置の一使用状態を示す全体の側面図。
【図６】本発明にかかる溶湯搬送装置の一使用状態を示す全体の側面図。
【図７】本発明にかかる溶湯搬送装置の一使用状態を示す全体の側面図。
【符号の説明】
【００２３】１：取鍋用台車
２：集塵機用台車
３：バグフィルター型集塵機
４：蓋状集塵フード
４Ａ：フード側ダクト
４Ｂ：取鍋側ダクト
５：追従手段
５Ａ：蛇腹構造のダクト
６：駆動手段
７：集塵機側ダクト
７Ａ：集塵ダクトの一部
８：第１回動連結機構
９：第２回動連結機構
１０：取鍋
Ｐ１：横軸芯
Ｐ２：ダクト軸心
Ｐ３：傾動軸心
Ｐ４：取鍋側ダクトの軸心
【図１】
2007098466.tif 000003
【図２】
2007098466.tif 000004
【図３】
2007098466.tif 000005
【図４】
2007098466.tif 000006
【図５】
2007098466.tif 000007
【図６】
2007098466.tif 000008
【図７】
2007098466.tif 000009